(57)【要約】【課題】      リ−ル本体の螺子部に螺合する回転操作部材の回転操作性と外観を良好にした魚釣用リ−ルを提供することである。【解決手段】  左側枠１ａに反ハンドル側の左側側板２が取り付けられ、左側枠１ａにボス部１ｈが形成され、ボス部１ｈ内にネジ孔１ｉが形成されている。  ボス部１ｈ位置の外側の左側側板２に外側に開口した筒部２ｆが形成され、筒部２ｆの底面には透孔２ｇが穿設されて螺子締結部材５の軸部５ｂが挿通されている。  螺子締結部材５の頭部５ａには複数の貫通孔５ｄが形成され、螺子締結部材５の軸部５ｂには周溝５ｅが形成され、軸部５ｂの先端に雄螺子部５ｆが形成されてネジ孔１ｉに螺合され、螺子締結部材５の頭部５ａの底面５ｇには環状板１３がバネ部材１４で圧接されるように軸部５ｂに環状板１３の中心透孔が嵌合されている。【選択図】        図６
2007189966.tif 000002
【特許請求の範囲】
【請求項１】
リ−ル本体の側板間にスプ−ルを回転自在に支持した前記リ−ル本体の一方の側板を、螺子締結部材を回転操作することで着脱可能とした魚釣用リ−ルにおいて、前記螺子締結部材を前記側板に抜け止めしてバネ部材で外側に付勢すると共に該バネ部材の外端部と前記螺子締結部材の頭部底面との間に環状板を介在して該環状板を螺子締結部材の頭部底面に圧接し、前記螺子締結部材の頭部に前記環状板に通じる貫通孔を形成したことを特徴とする魚釣用リ−ル。
【請求項２】
リ−ル本体の螺子部に螺合する制動力調節部材の回転操作で制動部を押圧し、釣糸が巻回されるスプ−ルの回転方向に付与される抵抗力を増減調節可能とした魚釣用リ−ルにおいて、前記制動力調節部材に形成された貫通孔を、該制動力調節部材の内側に設けた環状板で覆うと共に、該環状板を前記制動力調節部材の内側に圧接すべくバネ部材で付勢して前記貫通孔を閉塞可能としたことを特徴とする魚釣用リ−ル。
【発明の詳細な説明】
【技術分野】
【０００１】
本発明は、リ−ル本体の螺子部に螺合する回転操作部材（螺子締結部材や制動力調節部材）を改善した魚釣用リ−ルに関するものである。
【背景技術】
【０００２】
例えば、魚釣用両軸受型リ−ルの側板間に回転自在に支持したスプ−ルを取り外す場合には、フレ−ムに螺子で締結された一方の側板を、この螺子を緩めて側板のフレ−ムとの螺合締結状態を解除して一般的に行われている。
この螺子による着脱作業を容易に行えるように、一端に螺子頭部と他端に雄螺子部を形成した螺子部材を、バネで外側方向に付勢して側板に抜け止めしたものが特許文献１で提案されている。
【特許文献１】特許第３０８１４９９号公報
【発明の開示】
【発明が解決しようとする課題】
【０００３】
解決しようとする問題点は、このようにフレ−ムに側板を着脱固定する螺子部材を、バネで外側方向に付勢して側板に抜け止めする構成によって、螺子を緩めて螺子締結状態を解決するとバネの付勢力によって螺子部材は、外側に強制的に突出した状態で側板に抜け止め保持されるので、以後の螺子部材の締結作業が容易である。
魚釣用リ−ルは、海水、水、異物等が浸入付着し易い環境で使用されると共に、魚のヌメリ等が付着した手で、螺子部材を緩めたり、締め付けたり等の回転操作が行われることもあって、螺子部が腐食したり、外側に付勢するバネ端部と螺子部材の頭部底面との摩擦による引っ掛かり等の悪影響も加わり、螺子部材の円滑な回動操作性を維持出来なくなる。
又、螺子部材の頭部中央に形成した螺子溝に工具や小銭等を係合させて回転させ、螺合締結状態が緩くなった状態から螺子頭部外周を指で摘んで回転操作することになるため、螺子部材の弛緩回転操作性が劣る等の課題も残されている。
【０００４】
本発明の目的は前記欠点に鑑み、注油可能にすることで螺子部材の回転操作性と外観を良好にした魚釣用リ−ルを提供することである。
【課題を解決するための手段】
【０００５】
本発明の請求項１は、リ−ル本体の側板間にスプ−ルを回転自在に支持した前記リ−ル本体の一方の側板を、螺子締結部材を回転操作することで着脱可能とした魚釣用リ−ルにおいて、前記螺子締結部材を前記側板に抜け止めしてバネ部材で外側に付勢すると共に該バネ部材の外端部と前記螺子締結部材の頭部底面との間に環状板を介在して該環状板を螺子締結部材の頭部底面に圧接し、前記螺子締結部材の頭部に前記環状板に通じる貫通孔を形成したことを要旨とするものである。
本発明の請求項２は、リ−ル本体の螺子部に螺合する制動力調節部材の回転操作で制動部を押圧し、釣糸が巻回されるスプ−ルの回転方向に付与される抵抗力を増減調節可能とした魚釣用リ−ルにおいて、前記制動力調節部材に形成された貫通孔を、該制動力調節部材の内側に設けた環状板で覆うと共に、該環状板を前記制動力調節部材の内側に圧接すべくバネ部材で付勢して前記貫通孔を閉塞可能としたことを要旨とするものである。
【発明の効果】
【０００６】
本発明の請求項１によれば、螺子締結部材の軽量化を図りながら貫通孔を有する螺子締結部材の頭部の底面にバネ部材で圧接する環状板による貫通孔の閉塞作用により、螺子内部への水や異物等の浸入付着を防止でき、螺子締結部材の円滑な回動操作を維持出来る。
又、螺子締結部材の頭部の貫通孔を通して注油可能とすることで、螺子部やバネ摺接部の潤滑性が向上し、使用環境の厳しい釣場においても、螺子締結部材を支障なく回動操作できる。
環状板の頭部の底面と対向する面に色彩を施すと、貫通孔を通して視認できるので外観がよくなる。
本発明の請求項２によれば、制動力調節部材に形成された貫通孔を通して制動力調節部材内部の螺子部や圧接部等に注油することが可能となり、使用環境の厳しい釣場においても支障なく円滑に制動力調節部材の回転操作による制動力の増減調節が行える。
【発明を実施するための最良の形態】
【０００７】
左側枠１ａには大径の開口部１ｆが形成されている。
開口部１ｆの外側の複数箇所に中心方向に向けてＬ字形で鈎形の係合部１ｇが形成されている。
開口部１ｆの前側の左側枠１ａにボス部１ｈが形成され、ボス部１ｈ内にネジ孔１ｉが形成されている。
反ハンドル側の左側側板２の筒体２ｂの先端外周には開口部１ｆの内径に嵌合される嵌合筒部２ｃが形成されている。
ボス部１ｈ位置の外側の左側側板２に外側に開口した筒部２ｆが形成され、筒部２ｆの底面には透孔２ｇが穿設されて螺子締結部材５（回転操作部材）の軸部５ｂが挿通されている。
螺子締結部材５の頭部５ａにはドライバ−や小銭が嵌合される溝５ｃと複数の貫通孔５ｄが形成され、螺子締結部材５の軸部５ｂには周溝５ｅが形成され、軸部５ｂの先端に雄螺子部５ｆが形成されている。
雄螺子部５ｆはボス部１ｈ内のネジ孔１ｉに螺合される。
螺子締結部材５の頭部５ａの底面５ｇには環状板１３がバネ部材１４で付勢圧接されるように軸部５ｂに環状板１３の中心透孔が嵌合されている。
【実施例１】
【０００８】
以下、図示の実施例によって本発明を説明すると、図１から図７は第１実施例で魚釣用リ−ルを魚釣用両軸受型リ−ルで述べれば、図１は魚釣用両軸受型リ−ルの要部断面平面図、図２は枠体から反ハンドル側の側板が係脱された要部拡大断面平面図、図３は反ハンドル側の枠体の側面図、図４は反ハンドル側の側板の内側の側面図、図５は反ハンドル側の枠体に反ハンドル側の側板が開口部と筒体で嵌合された拡大側面図、図６は図１の要部拡大平面図、図７は反ハンドル側側板の螺子締結部材頭部の拡大側面図である。
【０００９】
魚釣用両軸受型リ−ルは、リ−ル本体Ａが枠体１と枠体１の左右両側枠１ａ、１ｂに取り付けられた反ハンドル側の左側側板２とハンドル側の右側側板３で構成されている。
枠体１は左右両側枠１ａ、１ｂと左右両側枠１ａ、１ｂ間の前側上部を覆うサムレスト１ｃとリ−ル脚１ｄと固定板１ｅが一体的に、かつ左右両側枠１ａ、１ｂが平行に保持されている。
左右両側枠１ａ、１ｂ間の前側にはフロントカバ−１０が取り付けられている。
左側枠１ａには大径の開口部１ｆが形成されている。
【００１０】
両側枠１ａ、１ｂ間にはスプ−ル４が配設され、スプ−ル４が固定されたスプ−ル軸１１は反ハンドル側の左側側板２に取り付けられた一方の軸受１２と側枠１ｂ側に取り付けられた図示しない他方の軸受で回転可能に軸承されている。
スプ−ル４は釣糸巻回胴部４ａと両側のフランジ部４ｂ、４ｃで形成されている。
開口部１ｆの内径は一方のフランジ部４ｂの外径より幾分大きく形成されている。
開口部１ｆの外側の複数箇所に中心方向に向けてＬ字形で鈎形の係合部１ｇが形成されている。
開口部１ｆの前側の左側枠１ａにボス部１ｈが形成され、ボス部１ｈ内にネジ孔１ｉが形成されている。
【００１１】
反ハンドル側の左側側板２には軸受１２を保持する筒部２ａが一体形成され、その外側に大径の筒体２ｂが一体形成されている。
筒体２ｂの先端外周には開口部１ｆの内径に嵌合される嵌合筒部２ｃが形成されている。
筒体２ｂの外周には軸線方向に複数本の突堤が形成されて突堤に周方向のスリ割溝２ｄで周方向の矩形の係合部２ｅが形成されている。
係合部２ｅは係合部１ｇに係合されて係合手段が構成されている。
ボス部１ｈ位置の反ハンドル側の左側側板２に外側に開口した筒部２ｆが形成されて筒部２ｆ内に螺子締結部材５（回転操作部材）の頭部５ａと環状板１３とバネ部材１４が挿入されている。
【００１２】
筒部２ｆの底面には透孔２ｇが穿設されて螺子締結部材５の軸部５ｂが挿通されている。
螺子締結部材５の頭部５ａにはドライバ−や小銭が嵌合される溝５ｃと複数の貫通孔５ｄが形成され、螺子締結部材５の軸部５ｂには周溝５ｅが形成され、軸部５ｂの先端に雄螺子部５ｆが形成されている。
雄螺子部５ｆはボス部１ｈ内のネジ孔１ｉに螺合される。
螺子締結部材５の頭部５ａの底面５ｇには環状板１３がバネ部材１４で付勢圧接されるように軸部５ｂに環状板１３の中心透孔が嵌合されている。
筒部２ｆの透孔２ｇから左側枠１ａ側に突出した軸部５ｂにワッシャ−１５が嵌合されて周溝５ｅにＥリング１６が嵌められて螺子締結部材５は筒部２ｆ内から抜け止めされている。
環状板１３の頭部５ａの底面５ｇと対向する面には色彩が施されて頭部５ａの複数の貫通孔５ｄを通して視認可能に構成されている。
環状板１３は金属材で形成され、アルマイト処理、メッキ処理、イオンプレ−ティング処理等の表面処理が施され、複数の貫通孔５ｄを通して目視できて外観が向上する。
【００１３】
スプ−ル軸１１にピニオン１７が嵌合されると共に軸方向に移動可能に軸承され、スプ−ル軸１１とピニオン１７にはクラッチ機構の図示しなし係合凹部と係合凸部が設けられている。
クラッチ機構のＯＮ／ＯＦＦ操作は左右両側枠１ａ、１ｂ間の後側に設けられた押圧操作部１８で操作される。
ピニオン１７には駆動歯車１９が噛合されている。
駆動歯車１９はハンドル軸２０に摩擦結合され、ハンドル側の右側側板３から突出したハンドル軸２０にハンドル２１が取り付けられている。
ハンドル２１がスプ−ル４に釣糸が巻回される方向に回転されると、駆動歯車１９とピニオン１７を介してスプ−ル４が回転される。
左右両側枠１ａ、１ｂ間のスプ−ル４より釣糸繰出し方向側に釣糸案内装置Ｂが設けられている。
【００１４】
枠体１の左側枠１ａに反ハンドル側の左側側板２が取り付けられる時は、反ハンドル側の左側側板２を傾けて筒体２ｂの嵌合筒部２ｃを開口部１ｆの内径に嵌挿し、図５のように左側側板２を時計方向に回動すると、係合部２ｅは係合部１ｇに係合される。
この時左側側板２の外周形状が左側枠１ａの外周形状に合致したところで、螺子締結部材５の頭部５ａが押し込まれて雄螺子部５ｆがボス部１ｈ内のネジ孔１ｉに螺合されて締め付けられると、枠体１に反ハンドル側の左側側板２が回り止め固定されると共に、枠体１の左側枠１ａの外周形状と左側側板２の外周形状が一致した状態に位置決めされて固定される。
枠体１から反ハンドル側の左側側板２が離脱される時は、螺子締結部材５を緩め、反ハンドル側の左側側板２を反時計方向に回動することで離脱できる。
【００１５】
魚釣用両軸受型リ−ルの動作は、押圧操作部１８が上方にあるクラッチ機構のＯＮ状態でハンドル２１がスプ−ル４に釣糸が巻回される方向に回転されると、駆動歯車１９とピニオン１７を介してスプ−ル軸１１とスプ−ル４が回転され、釣糸案内装置Ｂで案内された釣糸がスプ−ル４に巻き取られる。
螺子締結部材５の頭部５ａの複数の貫通孔５ｄの一つに油差しの先端を挿入すると、環状板１３がバネ部材１４に抗して筒部２ｆ内に後退するので、注油することが出来る。
【００１６】
前記のように魚釣用リ−ルが構成されると、螺子締結部材５の軽量化を図りながら、貫通孔５ｄを有する螺子締結部材５の頭部５ａの底面５ｇにバネ部材１４で圧接する環状板１３による貫通孔５ｄの閉塞作用により、螺子内部への水や異物等の浸入付着を防止でき、螺子締結部材５の円滑な回動操作を維持出来る。
又、螺子締結部材５の頭部５ａの貫通孔５ｄを通して注油可能とすることで、螺子部やバネ摺接部の潤滑性が向上し、使用環境の厳しい釣場においても、螺子締結部材５を支障なく回動操作できる。
環状板１３の頭部５ａの底面５ｇと対向する面に色彩を施すと、貫通孔５ｄを通して視認できるので外観がよくなる。
貫通孔５ｄの形状や数は適宜変更でき、螺子締結部材５の良好な回転性の維持を図りながら軽量化も可能となる。
【実施例２】
【００１７】
図８、図９は第２実施例で魚釣用リ−ルを魚釣用スピニングリ−ルで述べれば、図８は魚釣用スピニングリ−ルのスプ−ルの断面側面図、図９は魚釣用スピニングリ−ルのスプ−ルの正面図である。
【００１８】
魚釣用スピニングリ−ルのスプ−ル６は、外形が前側の鍔部６ａと釣糸が巻回される外周テ−パ−状の釣糸巻回胴部６ｂと円筒状の後側円筒部６ｃとで形成されている。
スプ−ル６の釣糸巻回胴部６ｂ内部には凹部６ｄと貫通孔６ｅが形成され、凹部６ｄ内に制動部材Ｃが収容されて貫通孔６ｅに挿通されたスプ−ル軸７の先端部に螺合された制動力調節部材８（回転操作部材）で制動部材Ｃが押圧されて制動力が調節される。
スプ−ル軸７は太径部７ａと細径部７ｂで形成され、細径部７ｂに回り止め部７ｃと螺子部７ｄが形成されている。
制動部材Ｃはスプ−ル軸７に回り止めされた制動板２２とスプ−ル６に回り止めされた制動板２３と摩擦板２４で構成されている。
【００１９】
制動力調節部材８は円板部８ａの下側に有底筒部８ｂが上側にツマミ部８ｃと筒部８ｄが形成されている。
有底筒部８ｂと筒部８ｄ内には２段の凹部８ｅ、８ｆと透孔８ｇが形成され、凹部８ｅ内にバネ部材２５とナット２６が挿入されて止め具２７で抜け止めされている。
透孔８ｇにスプ−ル軸７が挿通されて先端部にナット２６が螺合される。
凹部８ｆの開口部αの開口縁にネジ部８ｈが形成されている。
凹部８ｆ内にはバネ部材２８と環状板１３が挿入されてカバ−体９で抜け止めされている。
環状板１３の上面でカバ−体９の底面９ａと当接する面には色彩を施すとよい。
カバ−体９の外周には螺子部９ｂが形成されて制動力調節部材８の開口縁のネジ部８ｈに螺合される。
カバ−体９の表面には溝９ｅが形成され、溝９ｅの左右に複数の貫通孔９ｆ（制動力調節部材に形成した貫通孔）が形成されている。
【００２０】
制動力調節部材８で制動力が調節される時にはツマミ部８ｃが回動されて調節される。
制動力調節部材８に螺合されたカバ−体９の複数の貫通孔９ｆの一つに油差しの先端を挿入すると、環状板１３がバネ部材２８に抗して凹部８ｆ内に後退するので、注油することが出来る。
【００２１】
実施例２のように魚釣用スピニングリ−ルのスプ−ルが構成されると、カバ−体９に設けた貫通孔９ｆを通して環状板１３を押し下げて制動力調節部材８内部のナット２６の螺子部とスプ−ル軸７の螺子部７ｄに注油することが可能となり、使用環境の厳しい釣場においても支障なく円滑に制動力調節部材８に回転操作による制動力の増減調節が行える。
他の応用例として、図示しないが、公知の両軸受型リ−ルの側板に設けたキャップ（回転操作部材）の回転操作により、スプ−ル軸端を押圧してスプ−ル回転に制動力を付与する上記キャップに本発明を適用してもよい。
【産業上の利用可能性】
【００２２】
前記説明では、魚釣用リ−ルを魚釣用両軸受型リ−ルと魚釣用スピニングリ−ルで述べたが、他の形式のリ−ルに実施してもよい。
なお、本発明は、前述した実施形態に限定されることなく、その要旨を逸脱しない範囲で種々変形実施できることは言うまでもない。
【図面の簡単な説明】
【００２３】
【図１】第１実施例で、魚釣用両軸受型リ−ルの要部断面平面図である。
【図２】同枠体から反ハンドル側の側板が係脱された要部拡大断面平面図である。
【図３】同反ハンドル側の枠体の側面図である。
【図４】同反ハンドル側の側板の内側の側面図である。
【図５】同反ハンドル側の枠体に反ハンドル側の側板が開口部と筒体で嵌合された拡大側面図である。
【図６】同図１の要部拡大平面図である。
【図７】同反ハンドル側側板の螺子締結部材頭部の拡大側面図である。
【図８】第２実施例で、魚釣用スピニングリ−ルのスプ−ルの断面側面図である。
【図９】同魚釣用スピニングリ−ルのスプ−ルの正面図である。
【符号の説明】
【００２４】
Ａ  リ−ル本体
２、３  側板
４、６  スプ−ル
５  螺子締結部材
５ａ  頭部
５ｄ、９ｆ  貫通孔
５ｇ  底面
１３  環状板
１４、２８  バネ部材
８  制動力調節部材
９  カバ−体
【図１】
2007189966.tif 000003
【図２】
2007189966.tif 000004
【図３】
2007189966.tif 000005
【図４】
2007189966.tif 000006
【図５】
2007189966.tif 000007
【図６】
2007189966.tif 000008
【図７】
2007189966.tif 000009
【図８】
2007189966.tif 000010
【図９】
2007189966.tif 000011